(57)【要約】【課題】複数段で構成される遮蔽材間を容易に開放可能としながらも当該遮蔽材間の閉塞が不可能となる事態を防ぐこと。【解決手段】ブラインドは、ヘッドボックスから第１昇降コードによって昇降可能に吊り下げられる中間バーと、上記中間バーの下方において第２昇降コードによって昇降可能に吊り下げられるボトムレールと、上記ヘッドボックスと上記中間バーとの間に配置される第１遮蔽材と、上記中間バーと上記ボトムレールとの間に配置される第２遮蔽材とを有する。上記中間バーは、上記第１遮蔽材の下端が連結される第１バーと、上記第２遮蔽材の上端が連結される第２バーとを有する。上記第１昇降コードは上記第２バーに連結される。上記第１バーは、上記第２バーの昇降に伴って当該第２バーに載置された状態で一体的に昇降可能であるとともに、上記第２バーとは分離して昇降可能である。【選択図】図５
2020041347.tif 000002
【特許請求の範囲】
【請求項１】
ヘッドボックスから第１昇降コードによって昇降可能に吊り下げられる中間バーと、
前記中間バーの下方において第２昇降コードによって昇降可能に吊り下げられるボトムレールと、
前記ヘッドボックスと前記中間バーとの間に配置される第１遮蔽材と、
前記中間バーと前記ボトムレールとの間に配置される第２遮蔽材と
を具備するブラインドにおいて、
前記中間バーは、
前記第１遮蔽材の下端が連結される第１バーと、
前記第２遮蔽材の上端が連結される第２バーと、を有し、
前記第１昇降コードは前記第２バーに連結され、
前記第１バーは、前記第２バーの昇降に伴って当該第２バーに載置された状態で一体的に昇降可能であるとともに、前記第２バーとは分離して昇降可能である
ブラインド。
【請求項２】
請求項１に記載のブラインドであって、
第１バー又は第２バーの少なくとも一方は、前記第１バーが前記第２バーに載置された状態で前記第１バーを前後方向において位置決めする位置決め部を有する
ブラインド。
【請求項３】
請求項１または２に記載のブラインドであって、
前記第２バーは、前記第１バーが載置された状態で、前記第１バーの上面と前記第２バーの上面とが略面一、又は前記第２バーの上面が前記第１バーの上面よりも上方位置となるように前記第１バーを収容可能な収容部を有する
ブラインド。
【請求項４】
請求項１または２に記載のブラインドであって、
前記第１バーは、前記第２バーに載置された状態で、前記第１バーの底面と前記第２バーの底面とが略面一、又は前記第１バーの底面が前記第２バーの底面よりも下方位置となるように前記第２バーを収容可能な収容部を有する
ブラインド。
【請求項５】
請求項１乃至４のいずれかに記載のブラインドであって、
前記第１バーの昇降による下限位置は、前記第２バーの昇降による下限位置よりも上方に設定される
ブラインド。
【請求項６】
請求項１乃至５のいずれかに記載のブラインドであって、
前記第１バーと前記ヘッドボックスとの間に設けられ、当該第１バーと当該ヘッドボックスとの連結及び当該連結の解除が可能な連結手段
をさらに具備するブラインド。
【請求項７】
請求項１乃至６のいずれかに記載のブラインドであって、
前記第１バーには、前記ヘッドボックスから昇降可能に垂下する第３昇降コードが連結される
ブラインド。
【発明の詳細な説明】
【技術分野】
【０００１】
本発明は、ブラインドに関する。
【背景技術】
【０００２】
従来から、蛇腹状に折り畳み可能なスクリーンを昇降することで採光量を調整可能なプリーツスクリーンと呼ばれるブラインドにおいて、上下方向に複数のスクリーンが連結されたものが存在する。
【０００３】
例えば下記特許文献１には、ヘッドボックスから上下に連続する２つのスクリーンを吊り下げ、昇降コードの一端を最下段スクリーンの下端部に接続し、開閉用コードの一端側をスクリーン同士の連結部の少なくとも一部に接続したプリーツスクリーンであって、最上段スクリーンの上端をヘッドボックスに対して着脱可能に連結し、最上段スクリーンの上端とヘッドボックスとの連結を解除した状態において、最上段スクリーンがヘッドボックスから吊下げられた状態を維持しつつ、最上段スクリーンの上端をヘッドボックスに対して上下方向に移動可能として最上段スクリーンの上端とヘッドボックスとの間を完全開放可能とすることが開示されている。
【０００４】
また上記特許文献１には、他の実施形態として、スクリーン同士の連結の少なくとも一部を着脱可能な連結とし、連結が解除された下方のスクリーンの連結端を上下方向に移動可能とすることが、さらに開示されている。
【先行技術文献】
【特許文献】
【０００５】
【特許文献１】特許第３５８３９４１号公報
【発明の概要】
【発明が解決しようとする課題】
【０００６】
しかしながら、上記特許文献１に記載の技術においては、ヘッドボックスと最上段スクリーンとの連結、又はスクリーン同士の連結は、磁石と磁性体による連結、揺動するレバーとピンによる連結という機械的な連結となっており、万一この連結手段が作動不能となった場合には、自重で連結手段の下方のスクリーンが畳み込まれてしまい、その部分の遮蔽が不可能になるという課題があった。
【０００７】
以上のような事情に鑑み、本発明の目的は、複数段で構成される遮蔽材間を容易に開放可能としながらも当該遮蔽材間の閉塞が不可能となる事態を防ぐことが可能なブラインドを提供することにある。
【課題を解決するための手段】
【０００８】
上記目的を達成するため、本発明の一形態に係るブラインドは、ヘッドボックスから第１昇降コードによって昇降可能に吊り下げられる中間バーと、上記中間バーの下方において第２昇降コードによって昇降可能に吊り下げられるボトムレールと、上記ヘッドボックスと上記中間バーとの間に配置される第１遮蔽材と、上記中間バーと上記ボトムレールとの間に配置される第２遮蔽材とを有する。上記中間バーは、上記第１遮蔽材の下端が連結される第１バーと、上記第２遮蔽材の上端が連結される第２バーとを有する。上記第１昇降コードは上記第２バーに連結される。上記第１バーは、上記第２バーの昇降に伴って当該第２バーに載置された状態で一体的に昇降可能であるとともに、上記第２バーとは分離して昇降可能である。
【０００９】
この構成によれば、中間バーを第１バーと第２バーとで構成し、上方側に配置される第１バーを、下方側に配置される第２バーとは独立して昇降可能としたことで、第１昇降コードによって吊り下げられた第２バーに対して第１バーを引き上げることで第１遮蔽材と第２遮蔽材との間を開放できる一方で、第１バーをその自重を利用して固着手段無しに第２バーと一体化させ、第１遮蔽材と第２遮蔽材との間を容易かつ安定的に閉塞することができる。さらに、両遮蔽材間を一時的に開放することで、屋外の状況確認、サッシの開閉操作、特にクレセントの施錠又は解錠が容易となる効果も有する。
【００１０】
第１バー又は第２バーの少なくとも一方は、上記第１バーが上記第２バーに載置された状態で上記第１バーを前後方向において位置決めする位置決め部を有してもよい。
【００１１】
これにより、ユーザが第１バーをその自重を利用して下ろすと、位置決め部によって第２バーに対する位置決めが行われるため、２つのバー同士を整列状態で一体化できる。
【００１２】
上記第２バーは、上記第１バーが載置された状態で、上記第１バーの上面と上記第２バーの上面とが略面一、又は上記第２バーの上面が上記第１バーの上面よりも上方位置となるように上記第１バーを収容可能な収容部を有してもよい。
【００１３】
これにより、第１バーを第２バーに形成した収容部内に収容することで、正面からみた中間バーはあたかも１つのバー材として認識され、中間バーが分離しない通常のブラインドと同等の意匠性を実現できる。
【００１４】
上記第１バーは、上記第２バーに載置された状態で、上記第１バーの底面と上記第２バーの底面とが略面一、又は前記第１バーの底面が前記第２バーの底面よりも下方位置となるように上記第２バーを収容可能な収容部を有してもよい。
【００１５】
これにより、第２バーを第１バーに形成した収容部内に収容することで、正面からみた中間バーはあたかも１つのバー材として認識され、中間バーが分離しない通常のブラインドと同等の意匠性を実現できる。また、この構成により第１バーの重量を第２バーの重量よりも大きくでき、必要に応じて第１バーの収容部を除く内部空間にウエイトを入れることで、中間バー全体としての重量が十分確保でき、また第２バー上に載置された第１バーを第２バーの昇降に追随させやすくなり、第１バーの昇降操作の操作性を向上できる。さらに、十分な重量が確保できることで中間バー全体の板厚を薄く形成することができる。
【００１６】
上記第１バーの昇降による下限位置は、上記第２バーの昇降による下限位置よりも上方に設定されてもよい。
【００１７】
これにより、第１バーの下限位置よりも第２バーはさらに下降することが可能であるため、第１バーの上昇操作ではなく、第１昇降コードによる中間バーの下降操作のみで、中間バーを第１バーと第２バーとに分離して第１遮蔽材と第２遮蔽材との間を開放することができる。
【００１８】
上記ブラインドは、上記第１バーと上記ヘッドボックスとの間に設けられ、当該第１バーと当該ヘッドボックスとの連結及び当該連結の解除が可能な連結手段をさらに有してもよい。
【００１９】
これにより、第２バーから分離した第１バーをヘッドボックスに連結可能とすることで、第２遮蔽材の上方を完全に開放した状態で保持することができる。
【００２０】
上記第１バーには、上記ヘッドボックスから昇降可能に垂下する第３昇降コードが連結されてもよい。
【００２１】
これにより、第３昇降コードによって第１バーを昇降可能とすることで、通常の昇降及び調光操作と同様の方法にて、部分的な開放操作を実現できる。
【発明の効果】
【００２２】
以上説明したように、本発明によれば、複数段で構成される遮蔽材間を容易に開放可能としながらも当該遮蔽材間の閉塞が不可能となる事態を防ぐことができる。しかし、当該効果は本発明を限定するものではない。
【図面の簡単な説明】
【００２３】
【図１】本発明の第１実施形態に係るブラインドの正面図である。
【図２】本発明の第１実施形態に係るブラインドの背面図である。
【図３】本発明の第１実施形態に係るブラインドの右側断面図である。
【図４】本発明の第１実施形態に係るブラインドの中間バー付近の拡大側断面図である。
【図５】本発明の第１実施形態に係るブラインドの中間バー付近の拡大側断面図である。
【図６】本発明の第１実施形態に係るブラインドのスクリーンの展開・畳込み動作を示した右側面図である。
【図７】本発明の第１実施形態に係るブラインドのスクリーンの展開・畳込み動作を示した右側面図である。
【図８】本発明の第２実施形態に係るブラインドの中間バー付近の拡大右側断面図である。
【図９】本発明の第２実施形態に係るブラインドの中間バー付近の拡大右側断面図である。
【図１０】本発明の第３実施形態に係るブラインドのスクリーンの展開・畳込み動作を示した右側面図である。
【図１１】本発明の第３実施形態に係るブラインドのスクリーンの展開・畳込み動作を示した右側面図である。
【図１２】本発明の第４実施形態に係るブラインドの上部拡大右側断面図である。
【図１３】本発明の第５実施形態に係るブラインドの正面図である。
【図１４】本発明の第６実施形態に係るブラインドの中間バー付近の拡大右側断面図である。
【図１５】本発明の第６実施形態に係るブラインドの中間バー付近の拡大右側断面図である。
【発明を実施するための形態】
【００２４】
以下、図面を参照しながら、本発明の実施形態を説明する。
【００２５】
＜第１実施形態＞
まず、本発明の第１実施形態に係るブラインドについて説明する。
【００２６】
［ブラインドの構成］
図１は、本実施形態に係るブラインドの正面図であり、図２は当該ブラインドの背面図である。両図では説明の便宜上、ヘッドボックスの内部が露出して示されているが、実際にはカバーで覆われている。また図３は、当該ブラインドの右側断面図であり、図４は、当該ブラインドの中間バー付近の拡大側断面図である。
【００２７】
これらの図に示すように、本実施形態に係るブラインド１００は、支持部材としてのヘッドボックス１と、当該ヘッドボックス１によって昇降可能に支持される遮蔽材としての第１スクリーン２及び第２スクリーン５とを有する。
【００２８】
上記第１スクリーン２の下端及び第２スクリーン５の上端には、中間バー３が連結されており、上記第２スクリーンの下端には、ボトムレール６が連結されている。
【００２９】
また第１スクリーン２は、同図Ｙ方向に蛇腹状に折り加工された複数のプリーツが畳み込み及び展開可能に形成されたプリーツスクリーンである。当該第１スクリーン２の生地は、例えば光を透過しない遮光性が高い素材又は光を透過可能なシースルー素材等で形成されている。当該第１スクリーン２の畳み込まれたときの前後幅（Ｚ方向の長さ）は例えば３０〜３５ｍｍである。
【００３０】
図３及び図４に示すように、第１スクリーン２の上端はヘッドボックス１に連結されており、第１スクリーン２の下端は第１スクリーン止めプレート１７を介して中間バー３に連結されている。
【００３１】
図３及び図４に示すように、第１スクリーン２の背面側の各プリーツには、突出部２１が形成されている。当該突出部２１は、例えば、各プリーツの頂点部から所定長（例えば５〜１０ｍｍ）分の山部を重ねて溶着等により接合することで形成される。
【００３２】
当該突出部２１には第１挿通孔２５が形成されている。調光コード４及び昇降コード７は、上記ヘッドボックス１から垂下され、当該第１挿通孔２５を挿通している。調光コード４の下端は、中間バー３のコードガイド１９を挿通して係止されることで、中間バー３に連結されている。
【００３３】
このように、第１スクリーン２を挿通する調光コード４及び第１挿通孔２５をスクリーン表面側に露出させないことで、意匠性を向上させ挿通孔からの光漏れを防止することが可能となる。
【００３４】
図３及び図４に示すように、第２スクリーン５は、同図Ｙ方向に断面６角形の複数の筒状のセルが連結されて畳み込み及び展開可能に形成されたハニカムスクリーンである。当該第２スクリーン５の畳み込まれたときの前後幅（Ｚ方向の長さ）は例えば４５ｍｍである。第２スクリーン５の展開時のセルピッチ（Ｙ方向のセルの開き量）は、第１スクリーン２の展開時のプリーツピッチ（Ｙ方向のプリーツの開き量）とほぼ一致している。当該ハニカムスクリーンの生地は、例えば光を透過しない素材で形成されているが、シースルー状の素材で形成されていてもよい。
【００３５】
図３及び図４に示すように、第２スクリーン５の上端は第２スクリーン止めプレート１８を介して中間バー３に連結されており、第２スクリーン５の下端はボトムレール６に連結されている。
【００３６】
第２スクリーン５には、上記ヘッドボックス１から垂下された昇降コード７が挿通されている。
【００３７】
図３及び図４に示すように、第２スクリーン５の各セルの上下方向（各図Ｙ方向）の各端部、かつ、前後方向（各図Ｚ方向）の略中央部には、第２挿通孔５５が形成されている。
【００３８】
図３に示すように、昇降コード７は、調光ドラム９ａと昇降ドラム９ｂの並列方向（Ｚ方向）において当該調光ドラムと９ａと昇降ドラム９ｂの略中間位置の直下から垂下され、上記第１挿通孔２５及び当該第２挿通孔５５を挿通し、その下端がボトムレール６に連結されている。
【００３９】
上記第１スクリーン２は、上記調光コード４の昇降により中間バー３が昇降することで展開可能とされており、上記第２スクリーン５は、上記昇降コード７の昇降によりボトムレール６が昇降することで展開可能とされている。
【００４０】
ヘッドボックス１は、横長直方体形状を有し、ブラケット８を介して建物内部の窓枠の天井面や壁面等の所定面にネジ等により固定される。図１乃至図３に示すように、ヘッドボックス１には、２つの巻取ドラム９（第１巻取ドラムとしての調光ドラム９ａ及び第２巻取ドラムとしての昇降ドラム９ｂ）、ブレーキ１１ａ及び１１ｂ、ストッパ１２ａ及び１２ｂ、下限リミット２０ｂが設けられている。
【００４１】
調光ドラム９ａ及び昇降ドラム９ｂは、ヘッドボックス１の内部に並列して配置され、それぞれ回転軸１０ａ及び回転軸１０ｂが貫通することによって回転可能に支持される。
【００４２】
調光ドラム９ａには、上記調光コード４の一端が巻取り及び巻解き可能に連結されている。昇降ドラム９ｂには、上記昇降コード７の一端が巻取り及び巻解き可能に連結されている。
【００４３】
ストッパ１２ａ及び１２ｂは、それぞれ、対応する回転軸１０ａ及び１０ｂの巻解き方向の回転を許容する状態と規制する状態とに切替可能である。
【００４４】
ブレーキ１１ａ及び１１ｂは、それぞれ、調光コード４及び昇降コード７の巻解速度（調光ドラム９ａ及び昇降ドラム９ｂの回転速度）を減速することで、第１スクリーン２の下降時における中間バー３による衝撃力、及び、第２スクリーン５の下降時におけるボトムレール６による衝撃力を緩和する。
【００４５】
下限リミット２０ｂは、回転軸１０ｂの回転に連動して昇降コード７の巻解き量を規制する。
【００４６】
その他、ヘッドボックス１には、調光ドラム９ａの回転軸１０ａと昇降ドラム９ｂの回転軸１０ｂとを独立的に回転させる単独状態と連動して回転させる連動状態とに切り替える連動機構も設けられている。
【００４７】
操作ユニット１３は、無端状の操作コード１４（例えばボールチェーン）、当該操作コード１４が巻き掛けられるプーリ１５、その他、プーリ１５と一体回転するように連結される操作軸等で構成されており、ユーザの操作コード１４に対する昇降操作に応じて上記第１スクリーン２及び第２スクリーン５を昇降させる。
【００４８】
上記操作コード１４のうち、正面から見て奥側のチェーンは、調光コード４（第１スクリーン２及び中間バー３）の昇降動作に用いられ、手前側のチェーンは、昇降コード７（第２スクリーン５及びボトムレール６）の昇降動作に用いられる。
【００４９】
中間バー３の長手方向の両端部は、組立時に上記第１スクリーン２の下端及び第２スクリーン５の上端を挿入可能とするために開口しており、当該開口には、レールキャップ３０が着脱可能に設けられている。同様に、ボトムレール６の長手方向の両端部の開口にも、第２スクリーン２の下端を挿入可能とするためにレールキャップ６０が着脱可能に設けられている。中間バー３の両端に設けられたレールキャップ３０は、調光コード４の下端と連結している。
【００５０】
図３及び図４に示すように、上記第１スクリーン２は、上記中間バー３の前後方向（Ｚ方向）における中心線よりも手前側にオフセットされた位置で上記中間バー３と連結されている。
【００５１】
これに対して、図３に示すように、上記第２スクリーン５は、上記ボトムレール６の前後方向（Ｚ方向）における中心線に対応する位置で上記ボトムレール６と連結されている。
【００５２】
（中間バーの詳細）
図３及び図４に示すように、中間バー３は、分離可能な第１バー３１と第２バー３２とで構成されている。上記図３及び図４は、中間バー３の第１バー３１が第２バー３２上に載置され両者が一体化された状態を示している。また図５は、中間バー３の第１バー３１と第２バー３２とが分離された状態におけるブラインド１００の中間バー３付近の拡大側断面図である。
【００５３】
これらの図に示すように、中間バー３のうち第１バー３１には、第１スクリーン２の下端が連結され、第２バー３２には、第２スクリーン５の上端が連結される。また上記調光コード（第１昇降コード）４は、中間バー３のうち第２バー３２に連結されている。
【００５４】
第１バー３１は、第２バー３２の昇降に伴って当該第２バー３２に載置された状態で一体的に昇降可能であるとともに、図５に示すように、ユーザが第１バー３１を把持して引き上げ及び引き下げることで、第２バー３２とは分離して、第１スクリーン２と共に昇降可能である。これにより第１スクリーン２と第２スクリーンとの間が一時的に開放されることになる。
【００５５】
図４及び図５に示すように、第１バー３１は、断面が例えば逆台形状を有している。第２バー３２は、当該第１バー３１よりも幅及び厚さ共に大きく形成されており、第２バー３２の上面には、上記第１バー３１を収容する例えば逆台形凹状の収容部４１が設けられている。
【００５６】
当該収容部４１は、図４に示すように、第１バー３１が第２バー３２に載置された状態で、第１バー３１の上面と第２バー３２の上面とが略面一となるように、第１バー３１を収容可能である。
【００５７】
これにより、ブラインド１００を正面から見た場合、中間バー３はユーザにあたかも１つのバー材として認識され、中間バー３が分離しない通常のブラインドと同等の意匠性を実現することができる。また、第２バー３２の上面を第１バー３１の上面よりも上方に位置する形状としてもブラインド１００を正面から見た場合、同様の効果を実現することができる。
【００５８】
また上記収容部４１の側壁は、第１バー３１が第２バー３２に載置された状態で第１バー３１の前後方向（各図Ｚ方向）における移動を規制し位置決めする位置決め部４２として機能する。
【００５９】
これにより、ユーザが第１バー３１を、図５のように持ち上げられた状態から、その自重を利用して下ろすと、図４に示すように、位置決め部４２によって第２バー３２に対する位置決めが行われるため、２つのバー同士が整列状態で一体化される。
【００６０】
［ブラインドの動作］
次に、以上のように構成されたブラインド１００の動作について説明する。
【００６１】
図６は、上記中間バー３の第１バー３１と第２バー３２とが一体化された状態におけるブラインド１００のスクリーンの展開・畳込み動作を示した右側面図である。同図Ａは、第１スクリーン２を展開し第２スクリーン５を畳み込んだ状態を示し、同図Ｂは、第１スクリーン２を畳み込み第２スクリーン５を展開した状態を示し、第１スクリーン２及び第２スクリーン５の双方を畳込んだ状態を示している。
【００６２】
図１及び図２に示す状態から、第１スクリーン２を展開して第２スクリーン５を畳み込む場合、操作コード１４を操作して回転軸１０ａを調光コード４巻取方向に所定量回転させ、ストッパ１２ａを解除する。これにより、回転軸１０ａはストッパ１２ａの拘束から解除されて回転が自由になり、中間バー３の自重によって調光ドラム９ａが調光コード４を巻解き、調光コード４の他端とともに中間バー３が下降していく。よって、第２スクリーン５が上方から下方に向かって順次畳み込まれていく。
【００６３】
そして、図６Ａに示したように、第２スクリーン５を完全に畳み込むと、第１スクリーン２のみが展開した状態になる。この後、操作コード１４の操作を終了すると、自重降下した中間バー３がボトムレール６上に載置された状態となり、第１スクリーン２のみが展開した状態が保持される。
【００６４】
一方、第１スクリーン２を畳み込む場合、操作コード１４を操作して回転軸１０ａを調光コード４巻取方向に所定量以上連続して回転させる。これにより、調光ドラム９ａが調光コード４を巻取り、調光コード４の他端とともに中間バー３が上昇していく。よって、第１スクリーン２が下方から上方に向かって順次畳み込まれていく。
【００６５】
そして、図６Ｂに示したように、第１スクリーン２を完全に畳み込むと、第２スクリーン５のみが展開した状態になる。この後、操作コード１４の操作を終了すると、ストッパによって回転軸１０ａの回転が拘束され、第２スクリーン５のみが展開した状態が保持される。
【００６６】
次に、第１スクリーン２及び第２スクリーン５の両方を畳み込む場合について説明する。  図１及び図２に示すように、第１スクリーン２及び第２スクリーン５の両方が展開されている状態では、調光コード４が緊張状態にあるため、上記連動機構は単独状態となっている。
【００６７】
そこで、まず、操作コード１４を操作して回転軸１０ｂのみを昇降コード７巻取方向に所定量以上連続して回転させると、回転軸１０ｂが回転して昇降ドラム９ｂが昇降コード７を巻取り、第２スクリーン５を畳み込む。
【００６８】
その後、引き続き操作コード１４を操作して、昇降ドラム９ｂに昇降コード７を巻き取らせる。これにより、完全に畳み込まれた第２スクリーン５が中間バー３に当接し、ボトムレール６が中間バー３を押し上げる。
【００６９】
このため、調光コード４に中間バー３の自重がかからないために弛み、上記連動機構が連動状態になる。よって、回転軸１０ａ及び回転軸１０ｂが一体に回転して、昇降ドラム９ｂが昇降コード７を巻取り、調光ドラム９ａが調光コード４を巻取っていく。
【００７０】
これにより、ボトムレール６と中間バー３が一体に上昇し、第１スクリーン２が下方から上方に向かって順次畳み込まれていく。よって、図６Ｃに示したように、第１スクリーン２も完全に畳み込まれる。
【００７１】
この後、操作コード１４の操作を終了すると、回転軸１０ａ及び１０ｂの回転がストッパ１２ａ及び１２ｂによってそれぞれ拘束される。よって、第１スクリーン２及び第２スクリーン５の畳み込まれた状態が維持される。
【００７２】
第１スクリーン２及び第２スクリーン５を展開する場合、操作コード１４を操作して、ストッパ１２ｂを解除する。これにより、ボトムレール６及び第２スクリーン５、中間バー３及び第１スクリーン２が自重によりそれぞれ下降し、第１スクリーン２及び第２スクリーン５が展開する。
【００７３】
図７は、上記中間バー３の第１バー３１と第２バー３２とが分離された状態におけるブラインド１００のスクリーンの展開・畳込み動作を示した右側面図である。同図Ａは、第１スクリーン２を途中位置まで展開した状態を示し、同図Ｂは、第１バー３１を途中まで引き上げた状態を示し、同図Ｃは第１バー３１を完全に引き上げた状態を示している。これら各図において第２スクリーン５は途中位置まで展開した状態で固定されている。
【００７４】
同図Ａに示した第１バー３１が第２バー３２に載置された状態から、ユーザが第１バー３１を把持して引き上げると、第２バー３２から第１バー３１が第１スクリーンと共に分離して、同図矢印で示す空間が開放される。
【００７５】
そして同図Ｂに示した状態から、同図Ｃに示すように、ユーザがさらに第１バー３１をヘッドボックス１に接するまで引き上げると、同図の矢印で示すようにヘッドボックス１と中間バー３（第２バー３２）との間の空間が全て開放される。
【００７６】
この開放状態においては第１バー３１には自重が作用しているため、ユーザが第１バー３１から手を離すだけで、第１バー３１は第１挿通孔２５が調光コード４及び昇降コード７に案内されて下降し、位置決め部４２により第１バー３１が第２バー３２に位置決めされ収容される。これにより上記開放されていた空間が閉塞される。
【００７７】
［まとめ］
以上説明したように、本実施形態によれば、ブラインド１００は、中間バー３を第１バー３１と第２バー３２とで構成し、上方側に配置される第１バー３１を、下方側に配置される第２バー３２とは独立して昇降可能としたことで、調光コード４によって吊り下げられた第２バー３２に対して第１バー３１を引き上げることで第１スクリーン２と第２スクリーン５との間を開放できる一方で、第１バー３１をその自重を利用して固着手段無しに第２バー３２と一体化させ、第１スクリーン２と第２スクリーン５との間を容易かつ安定的に閉塞することができる。
【００７８】
さらに、両スクリーン間を一時的に開放することで、屋外の状況確認、サッシの開閉操作、特に、本実施形態において開放される中間バー３近傍の空間に位置することが多いクレセントの施錠又は解錠が容易となる効果も有する。
【００７９】
＜第２実施形態＞
次に、本発明の第２実施形態について説明する。本実施形態及びこれ以降の実施形態においては、上記第１実施形態と同様の構成及び機能を有する箇所には同一の符号を付し、説明を省略又は簡略化する。
【００８０】
図８及び図９は、本発明の第２実施形態に係るブラインド１００の中間バー３付近の拡大右側断面図である。図８は第１バー３１が第２バー３２と一体化した状態を示し、図９は第１バー３１が第２バー３２から分離した状態を示している。
【００８１】
上述の第１実施形態では、第１バー３１が第２バー３２に設けられた収容部４１に収容される例が示されたが、本実施形態では、両図に示すように、第２バー３２に収容部４１が設けられず、第１バー３１と第２バー３２とは略同一の幅及び厚さに形成される。
【００８２】
そして、図９に示すように、上記位置決め部４２として、第１バー３１の底面には凹部４２ａが設けられ、第２バー３２の上面には凸部４２ｂが設けられる。この凹部４２ａと凸部４２ｂが嵌合することで第１バー３１と第２バーとが一体化される。
【００８３】
これとは逆に、第１バー３１の底面に凸部が設けられ、第２バー３２の上面にそれと嵌合する凹部が設けられてもよい。
【００８４】
＜第３実施形態＞
次に、本発明の第３実施形態について説明する。
【００８５】
図１０及び図１１は、本実施形態に係るブラインド１００の構成並びに展開・畳込み動作を示した右側面図である。
【００８６】
図１０Ａは、第１スクリーン２を展開し第２スクリーン５を畳み込んだ状態を示し、同図Ｂは、第１スクリーン２を畳み込み第２スクリーン５を展開した状態を示し、第１スクリーン２及び第２スクリーン５の双方を畳込んだ状態を示している。
【００８７】
図１１Ａは、第１スクリーン２を途中位置まで展開した状態を示し、同図Ｂは、第１バー３１を完全に引き上げた状態を示し、同図Ｃは、第２バー３２を第１バーよりも下降させた状態を示している。
【００８８】
これらの図に示すように、本実施形態では、第１バー３１の昇降による下限位置は、第２バー３２の昇降による下限位置よりも上方に設定されている。すなわち、第１スクリーン２の展開可能な長さは、調光コード４によって第２バー３２の昇降可能な長さよりも短く設定されている。この場合、第１スクリーンの下限位置は、図示しないピッチコードによって決定される。
【００８９】
したがって、本実施形態では、図１１Ｂに示すように、上述の各実施形態と同様にユーザが第１バー３１を第２バー３２から分離させて引き上げることで同図矢印に示すように第１スクリーン２と第２スクリーン５との間が開放できるのみならず、図１０Ａ及び図１１Ｃに示すように、第１スクリーン２が最大限に展開した状態においては、ユーザが第１バー３１を引き上げる操作を行わずとも、各図矢印に示すように第２スクリーン５が畳み込まれる分だけ、第１スクリーン２と第２スクリーン５との間が開放されることになる。
【００９０】
これにより、第１バー３１の下限位置よりも第２バー３２がさらに下降することが可能であるため、第１バー３１の上昇操作ではなく、調光コード４による中間バー３（第２バー３２）の下降操作のみで、中間バー３を第１バー３１と第２バー３２とに分離して第１スクリーン２と第２スクリーン５との間を開放することができる。
【００９１】
＜第４実施形態＞
次に、本発明の第４実施形態について説明する。
【００９２】
図１２は、本実施形態に係るブラインド１００の上部拡大右側断面図である。同図Ａは第１バー３１が第２バー３２と一体化された状態を示しており、同図Ｂは第１バー３２が第２バー３２と分離した状態を示している。
【００９３】
上述の各実施形態においては、第１バー３１はユーザによって把持されて引き上げられた後、ユーザが第１バー３１から手を離すと、第１バー３１はその自重によって下降して第１スクリーン２と第２スクリーン５との間が閉塞された。
【００９４】
しかし本実施形態では、ブラインド１００は、第１バー３１とヘッドボックス１との間に、当該第１バー３１とヘッドボックス１との連結及び当該連結の解除が可能な連結手段６１を有する。
【００９５】
具体的には、連結手段は、ヘッドボックス１の底面の前後方向（Ｚ方向）両端に設けられた磁石６１ａと、第１バー３１の上面の前後方向（Ｚ方向）両端に設けられた磁性体６１ｂとで構成される。磁性体６１ｂは例えば鉄板等である。これとは逆にヘッドボックス１側に磁性体が、第１バー３１側に磁石が設けられても構わない。
【００９６】
同図Ａに示すように、磁石６１ａと磁性体６１ｂとはそれぞれ、第１スクリーン２の前後方向（Ｚ方向）の長さよりもやや大きい間隔を置いて、その間隔に畳み込まれた第１スクリーン２を収容可能なように設けられている。
【００９７】
同図Ａに示すように第１バー３１が第２バー３２と一体化された状態から、同図Ｂに示すように、第１バー３１が第２バー３２から分離されて引き上げられ、かつ、上記磁石６１ａに磁性体６１ｂが固着することで、第１バー３１がヘッドボックス１に連結される。
【００９８】
磁石６１ａ及び磁性体６１ｂの代わりに、面ファスナー等の他の連結手段が用いられても構わない。また、ヘッドボックス１の底面の前後方向（Ｚ方向）両端と、第１バー３１の上面の前後方向（Ｚ方向）の両端に、上記磁石６１ａ及び上記磁性体６１ｂと同様の厚みの、畳み込まれた第１スクリーン２を収容可能な凸部（壁部）が設けられ、それらの凸部の表面に平板状の磁石及び磁性体（または面ファスナー）が貼付されてもよい。
【００９９】
このような構成により、第２バー３２から分離した第１バー３１をヘッドボックス１に連結可能とすることで、第２スクリーン５の上方を完全に開放した状態で保持することができる。
【０１００】
なお本実施形態では第１スクリーン２のみならず第２スクリーン５もプリーツスクリーンとして形成されている。しかし、本実施形態の第２スクリーン５がハニカムスクリーンとして構成されていても構わない。
【０１０１】
＜第５実施形態＞
次に、本発明の第５実施形態について説明する。
【０１０２】
図１３は、本実施形態に係るブラインド１００の正面図である。同図Ａは第１バー３１が第２バー３２と一体化された状態を示しており、同図Ｂは第１バー３２が第２バー３２と分離した状態を示している。
【０１０３】
上述の各実施形態では、第１バー３１は、ユーザの手で直接引き上げられ、またユーザが手を離すと自重により下降していた。しかし、本実施形態では、第１バー３１は、昇降コードによって昇降可能に設けられている。
【０１０４】
すなわち、同図に示すように、第１バー３１には、ヘッドボックス１から昇降可能に垂下する開閉コード（第３昇降コード）７１が連結されており、ユーザによる昇降操作が可能となっている。第１バー３１及び第２バー３２の形状としては、上述の各実施形態におけるいずれの構成が採用されてもよい。
【０１０５】
これにより、ユーザは、通常の（調光コード４及び昇降コード７による）調光及び昇降操作と同様の方法にて、所望の開放面積で部分的な開放操作及び閉塞操作を実現することができる。
【０１０６】
＜第６実施形態＞
次に、本発明の第６実施形態について説明する。
【０１０７】
図１４及び図１５は、本実施形態に係るブラインド１００の中間バー３付近の拡大右側断面図である。図１４は第１バー３１が第２バー３２と一体化した状態を示し、図１５は第１バー３１が第２バー３２から分離した状態を示している。
【０１０８】
上述の第１実施形態では、第１バー３１が第２バー３２よりも小さく形成され、第２バー３２の収容部４１に収容される例が示された。しかし本実施形態では、第２バー３２が第１バー３１よりも小さく形成され、第１バー３１の収容部４１に収容される。
【０１０９】
すなわち、両図に示すように、第１バー３１は、第２バー３２に載置された状態で、第１バー３１の底面と第２バー３２の底面とが略面一となるように第２バー３２を収容可能な収容部４１を有する。
【０１１０】
第２バー３２は例えば台形状とされ、第１バー３１の収容部４１もそれに応じた台形状とされている。
【０１１１】
また第１バー３１の収容部４１の周囲の内部空間には、中間バー３全体の重量を確保するとともに、その重心位置を調整するためのウエイト８１が設けられている。
【０１１２】
このような構成によっても、第１実施形態と同様に、正面からみた中間バー３はあたかも１つのバー材として認識され、中間バー３が分離しない通常のブラインドと同等の意匠性を実現できる。また、第１バー３１の下面を第２バー３２の下面よりも下方に位置する形状としても、正面からみた中間バー３はあたかも１つのバー材として認識され、同様の効果を実現することができる。
【０１１３】
また、この構成により第１バー３１の重量を第２バー３２の重量よりも大きくでき、第１バー３１の内部空間にウエイト８１を入れることで、中間バー３全体としての重量が十分確保でき、第２バー３２上に載置された第１バー３１を第２バー３２の昇降に追随させやすくなり、第１バー３１の昇降操作の操作性を向上することができる。さらに、十分な重量が確保できることで、中間バー３全体の板厚を、上記第１実施形態のような収容構造よりも薄く形成することができる。
【０１１４】
［変形例］
本発明は上述の実施形態にのみ限定されるものではなく、本技術の要旨を逸脱しない範囲内において種々変更され得る。
【０１１５】
上述の第１乃至第３実施形態では、第１スクリーン２がプリーツスクリーンとされ、第２スクリーンがハニカムスクリーンとされたが、第１スクリーン２及び第２スクリーン５共にプリーツスクリーンとされてもよいし、その他ベネシャンブラインドやロールスクリーンも含めて様々な遮蔽材が第１スクリーン２及び第２スクリーン５として組み合わされてもよい。
【０１１６】
上述の第１及び第２実施形態では、第２バー３２の収容部４１は、第１バー３１が載置された状態で第１バー３１の上面と第２バー３２の上面とが略面一となるように形成されたが、当該収容部４１は、第２バー３２の上面が第１バー３１の上面よりも上方位置となるように形成されてもよい。
【０１１７】
上述の第６実施形態では、第１バー３１の収容部４１は、第１バー３１が第２バー３２に載置された状態で、第１バー３１の底面と第２バー３２の底面とが略面一となるように形成されたが、当該収容部４１は、第１バー３１の底面が第２バー３２の底面よりも下方位置となるように形成されてもよい。
【０１１８】
上述の第１乃至第６実施形態におけるブラインド１００及び中間バー３の各態様は、互いに矛盾しない限り自由に組み合わせて構成することができる。
【符号の説明】
【０１１９】
１………ヘッドボックス
２………第１スクリーン
３………中間バー
４………調光コード
５………第２スクリーン
６………ボトムレール
７………昇降コード
９………巻取ドラム
９ａ……調光ドラム
９ｂ……昇降ドラム
３１……第１バー
３２……第２バー
４１……収容部
４２……位置決め部
６１……連結手段
７１……開閉コード（第３昇降コード）
１００…ブラインド
【図１】
2020041347.tif 000003
【図２】
2020041347.tif 000004
【図３】
2020041347.tif 000005
【図４】
2020041347.tif 000006
【図５】
2020041347.tif 000007
【図６】
2020041347.tif 000008
【図７】
2020041347.tif 000009
【図８】
2020041347.tif 000010
【図９】
2020041347.tif 000011
【図１０】
2020041347.tif 000012
【図１１】
2020041347.tif 000013
【図１２】
2020041347.tif 000014
【図１３】
2020041347.tif 000015
【図１４】
2020041347.tif 000016
【図１５】
2020041347.tif 000017